(57)【要約】【課題】  円滑なコミュニケーションが可能となるように画像を共有する。【解決手段】  画像共有表示システム１０を構成する端末システム１００は、係るシステムを構成する端末システム２００との間で画像を共有している。この端末システム２００からは表示領域情報が送信される。端末システム１００は、この表示領域情報に基づいて、表示画面１２０ａに、現在、端末システム２００の表示画面２２０ａにおいて、共有される画像のどの部分が表示されているかが枠状ポインタ１２１として表示される。【選択図】  図８
2006039919.tif 000002
【特許請求の範囲】
【請求項１】
ネットワークに収容され、相互に画像を共有可能な少なくとも一つの第１端末及び少なくとも一つの第２端末を含み、
前記第１端末は、
前記画像を表示するための第１画面部と、
前記第１画面部に前記画像の少なくとも一部を表示させる第１表示制御手段と、
前記第１画面部に表示された少なくとも一部が前記画像の全領域に対して占める第１領域を表す第１表示領域情報を生成する第１表示領域情報生成手段と、
前記ネットワークを介して前記生成された第１表示領域情報を前記第２端末に送信する第１通信手段と
を備え、
前記第２端末は、
前記画像を表示するための第２画面部と、
前記第２画面部に前記画像の少なくとも一部を表示させる第２表示制御手段と
を備える
ことを特徴とする画像共有表示システム。
【請求項２】
前記第２端末は更に、前記第２画面部に表示された少なくとも一部が前記画像の全領域に対して占める第２領域を表す第２表示領域情報を生成する第２表示領域情報生成手段と、
前記ネットワークを介して前記生成された第２表示領域情報を前記第１端末に送信する第２通信手段と
を備える
ことを特徴とする請求項１に記載の画像共有表示システム。
【請求項３】
前記第２表示制御手段は、前記送信された第１表示領域情報に基づいて、前記第２画面部に、前記第１領域に相当する情報を表示させる
ことを特徴とする請求項２に記載の画像共有表示システム。
【請求項４】
前記第２画面部は、前記第１画面部よりも大きい表示領域を有する
ことを特徴とする請求項３に記載の画像共有表示システム。
【請求項５】
前記第１表示制御手段は、前記送信された第２表示領域情報に基づいて、前記第１画面部に、前記第２領域に相当する情報を表示させる
ことを特徴とする請求項２から４のいずれか一項に記載の画像共有表示システム。
【請求項６】
前記第２端末は更に、前記画像において前記第１画面に表示されるべき領域を指定する領域指定情報を生成する領域指定情報生成手段を更に具備し、
前記第２通信手段は、前記領域指定情報を前記第１端末に送信し、
前記第１表示制御手段は、前記送信された領域指定情報に基づいて、前記第１画面部に前記指定された領域を表示させる
ことを特徴とする請求項２から５のいずれか一項に記載の画像共有表示システム。
【請求項７】
前記第２端末は更に、前記第２領域内において指示された箇所を表す指示箇所情報を生成する指示箇所情報生成手段を具備し、
前記第２通信手段は、前記生成された指示箇所情報を前記第１端末に送信し、
前記第１表示制御手段は、前記送信された指示箇所情報に基づいて、前記第１画面部に前記指示された箇所に相当する情報を表示させる
ことを特徴とする請求項２から６のいずれか一項に記載の画像共有表示システム。
【請求項８】
前記第１表示制御手段は、前記送信された指示箇所情報に基づいて、予め前記第１画面部において設定された第１の範囲内に前記指示箇所が含まれるように前記画像の少なくとも一部を表示させる
ことを特徴とする請求項７に記載の画像共有表示システム。
【請求項９】
前記第１端末は、前記指示箇所が予め前記第１画面部において設定された第２の範囲外にあるか否かを判別する判別手段を更に具備し、
前記第１表示制御手段は、前記判別手段によって、前記指示箇所が前記第２の範囲外にあると判別された場合に、前記指示箇所が前記第１の範囲内に含まれるように前記画像の少なくとも一部を表示させる
ことを特徴とする請求項８に記載の画像共有表示システム。
【請求項１０】
前記画像は、予め前記第１又は第２通信手段を介して前記第１又は第２端末から供給される
ことを特徴とする請求項１から９のいずれか一項に記載の画像共有表示システム。
【請求項１１】
ネットワークに収容され、画像の少なくとも一部を表示するための第１画面部を有する他の端末との間で前記ネットワークを介して前記画像を相互に共有可能な画像共有機能付端末であって、
前記画像を表示するための第２画面部と、
前記第２画面部に前記画像の少なくとも一部を表示させる表示制御手段と
を具備し、
前記表示制御手段は、前記他の端末から送信される、前記第１画面部に表示された少なくとも一部が前記画像の全領域に対して占める第１領域を表す第１表示領域情報に基づいて、前記第２画面部に、前記第１領域に相当する情報を表示させる
ことを特徴とする画像共有機能付端末。
【請求項１２】
前記第２画面部において指示された箇所を表す指示箇所情報を生成する指示箇所情報生成手段と、
前記ネットワークを介して前記生成された指示箇所情報を送信する通信手段と
を更に具備し、
前記送信された指示箇所情報に基づいて、前記第１画面部に、前記指示箇所を含むように前記画像の少なくとも一部を表示させる
ことを特徴とする請求項１１に記載の画像共有機能付端末。
【請求項１３】
コンピュータシステムを、請求項１から１０のいずれか一項に記載の第１端末として機能させることを特徴とするコンピュータプログラム。
【請求項１４】
コンピュータシステムを、請求項１から１０のいずれか一項に記載の第２端末として機能させることを特徴とするコンピュータプログラム。
【発明の詳細な説明】
【技術分野】
【０００１】
本発明は、画像共有表示システム、画像共有機能付端末、及びコンピュータプログラムの技術分野に関する。
【背景技術】
【０００２】
例えば、複数の装置間で画面を共有するための端末装置が提案されている（例えば、特許文献１参照）。
【０００３】
特許文献１に開示された画面共有端末装置（以降、「従来の技術」と称することとする）によれば、自端末装置と相手側端末装置には同じ画面が表示されている。一の端末装置がこの画面上の所定の点を指し示すと、夫々の端末装置の画面上には腕状のポインタが伸びてきて、その指摘点を指示する。この腕状のポインタは起点が端末装置毎に異なるため、同一画面上で夫々の端末装置が識別可能であるとされている。
【０００４】
【特許文献１】特開２００１−１５７１８４号公報
【発明の開示】
【発明が解決しようとする課題】
【０００５】
しかしながら、従来の技術は以下に示す問題点を有する。
【０００６】
例えば、複数の端末装置を使用して会議などを行う場合、これら複数の端末装置における画面の大きさが相互に異なっていると、一の端末が指示する指摘点が、他の端末の表示範囲外となる場合がある。このような場合には、そもそも指摘点が画面外にあるため、ポインタが識別可能に構成されていても余り意味をなさない。更には、係る一の端末においては、他の端末に自分が指示する指摘点が表示されていないことが認識されていないため、会議などの進行が一方的になり易い。即ち、従来の技術では、複数の端末装置間で画面を共有する際に、円滑なコミュニケーションが図れないという技術的な問題点がある。
【０００７】
本発明は、例えば、上述した問題点に鑑みてなされたものであり、円滑なコミュニケーションを実現し得る画像共有表示システム、画像共有機能付端末、及びコンピュータプログラムを提供することを課題とする。
【課題を解決するための手段】
【０００８】
上述した課題を解決するため、請求項１の画像共有表示システムは、ネットワークに収容され、相互に画像を共有可能な少なくとも一つの第１端末及び少なくとも一つの第２端末を含み、前記第１端末は、前記画像を表示するための第１画面部と、前記第１画面部に前記画像の少なくとも一部を表示させる第１表示制御手段と、前記第１画面部に表示された少なくとも一部が前記画像の全領域に対して占める第１領域を表す第１表示領域情報を生成する第１表示領域情報生成手段と、前記ネットワークを介して前記生成された第１表示領域情報を前記第２端末に送信する第１通信手段とを備え、前記第２端末は、前記画像を表示するための第２画面部と、前記第２画面部に前記画像の少なくとも一部を表示させる第２表示制御手段とを備えることを特徴とする。
【０００９】
上述した課題を解決するため、請求項１１の画像共有機能付端末は、ネットワークに収容され、画像の少なくとも一部を表示するための第１画面部を有する他の端末との間で前記ネットワークを介して前記画像を相互に共有可能な画像共有機能付端末であって、前記画像を表示するための第２画面部と、前記第２画面部に前記画像の少なくとも一部を表示させる表示制御手段とを具備し、前記表示制御手段は、前記他の端末から送信される、前記第１画面部に表示された少なくとも一部が前記画像の全領域に対して占める第１領域を表す第１表示領域情報に基づいて、前記第２画面部に、前記第１領域に相当する情報を表示させることを特徴とする。
【００１０】
上述した課題を解決するため、請求項１３のコンピュータプログラムは、コンピュータシステムを、請求項１から１０のいずれか一項に記載の第１端末として機能させることを特徴とする。
【００１１】
上述した課題を解決するため、請求項１４のコンピュータプログラムは、コンピュータシステムを、請求項１から１０のいずれか一項に記載の第２端末として機能させることを特徴とする。
【発明を実施するための最良の形態】
【００１２】
＜画像共有表示システムの実施形態＞
本発明の画像共有表示システムに係る実施形態は、ネットワークに収容され、相互に画像を共有可能な少なくとも一つの第１端末及び少なくとも一つの第２端末を含み、前記第１端末は、前記画像を表示するための第１画面部と、前記第１画面部に前記画像の少なくとも一部を表示させる第１表示制御手段と、前記第１画面部に表示された少なくとも一部が前記画像の全領域に対して占める第１領域を表す第１表示領域情報を生成する第１表示領域情報生成手段と、前記ネットワークを介して前記生成された第１表示領域情報を前記第２端末に送信する第１通信手段とを備え、前記第２端末は、前記画像を表示するための第２画面部と、前記第２画面部に前記画像の少なくとも一部を表示させる第２表示制御手段とを備える。
【００１３】
本発明において「ネットワーク」とは、インターネットやＬＡＮ（Local Area Network）などに代表される有線通信ネットワーク、並びに携帯電話、ＰＤＡ（Personal Digital Assistance）、カーナビゲーション装置などに利用される無線通信ネットワークの全て又は一部を含んで規定される。
【００１４】
本発明の画像共有表示システムに係る実施形態によれば、その動作時には、第１端末においては第１表示制御手段により第１画面部に、また、第２端末においては第２表示制御手段により第２画面部に、夫々画像の少なくとも一部が表示される。
【００１５】
本発明において「画像」とは、例えば、企画会議や営業会議などの各種会議、若しくはそれに類する各種打ち合わせなどにおいて使用される資料用の画像、検索サービス又は地図情報サービスなどの各種サービスにおいて提供される画像、映画及びドラマなどの動画像、並びに各種文字画像などを含み、上記ネットワークを介して複数の端末間で共有され得る何らかの視覚情報を指す。
【００１６】
本発明において「画面部」とは、画像を表示するための表示画面や、係る表示画面を備える、例えば、プラズマディスプレイ、液晶ディスプレイ、ＣＲＴ（Cathode Ray Tube）ディスプレイ、又は有機ＥＬディスプレイなどの各種ディスプレイ装置などを指す。
【００１７】
各画面部には、第１端末及び第２端末夫々の種類、態様、性能、設定、又は仕様などに応じて、共有されるべき画像の少なくとも一部が表示される。例えば、表示領域が比較的に大きい画面部においては、表示領域が比較的に小さい画面部よりも広範囲の画像が表示され得る。このように少なくとも一部が表示された状態において、各端末は、例えば、画面をスクロールさせたり、拡大及び縮小させたり、画面を切り替えたりすることによって、係る画像の全てを表示することが可能である。即ち、本発明の画像共有表示システムに係る実施形態において、各端末は、夫々が有する画面部に、相互に等しい画像を表示させることが可能に構成されている。
【００１８】
本発明において「表示制御手段」とは、例えば、これら画像を画面部に表示させるための、マイコン、パソコン、ワークステーション、及びサーバなど各種コンピュータ装置及びシステムを指す。また、このような表示制御手段は、画面部と一部又は全てが一体に構成されていてもよい。従って、本発明において「端末」とは、マイコン、パソコン、ワークステーション、及びサーバなどを備える各種コンピュータシステム、並びに、携帯電話、ＰＤＡ，及びカーナビゲーション装置などの各種態様を採り得る。
【００１９】
ここで特に、このように相互に画面を共有し得たとしても、既に述べたようにコミュニケーションが一方的となる場合がある。より具体的には、例えば、一方の端末の画面が他方の端末の画面よりも大きい場合、係る他方の端末には係る一方の端末で指示された箇所が表示されない場合がある。
【００２０】
しかしながら、本発明の画像共有表示システムに係る実施形態によれば、第１端末が第１表示領域情報生成手段を備えることによって、その問題を解決し得る。
【００２１】
即ち、本発明の画像共有表示システムに係る実施形態においては、画像が共有される場合、第１端末に備わる第１表示領域情報生成手段が、第１画面部に表示された共有される画像の少なくとも一部が、係る画像の全領域に対して占める領域である第１領域を表す第１表示領域情報を生成する。この生成された第１表示領域情報は、第１通信手段によりネットワークを介して第２端末に送信される。
【００２２】
第２端末においては、この送信された第１表示領域情報によって、現在、第１端末の第１画面部に、共有される画像のうち如何なる部分が表示されているかを認識することが可能となる。即ち、第２端末側において第１端末側の表示状態を認識することが可能となって、円滑なコミュニケーション、及び極めて効果的且つ効率的な画像の共有が実現可能となるのである。このように第２端末において認識された、第１端末の第１画面部に表示されている部分を、第２端末が、その利用者に対して通達或いは告知する方法としては、視覚的、聴覚的、触覚的等の該利用者の五感に訴える、表示出力又は音声出力などの各種出力方法が考えられる。
【００２３】
尚、このような「第１表示領域情報生成手段」とは、その一部又は全てが、先に述べた第１表示制御手段と同一のハードウェア内に設けられていてもよいし、第１画面部と同一のハードウェア内に設けられていてもよい。
【００２４】
尚、本発明における第１端末及び第２端末における、第１画面部及び第２画面部の表示領域の大きさは、いずれかが相対的に大きくてもよいし、相互に等しくてもよく、そのような夫々の画面部の態様によらず、本発明の画像共有表示システムに係る効果は享受されるものである。また、ここで述べられる「表示領域の大きさ」とは、単純に画面サイズの如き物理的な表示領域の大きさに限らず、解像度などと称される、一画面に表示可能な画素数を含む概念である。従って、一画面に表示可能な画素数は異なるが画面サイズが等しいケースや、画面サイズは異なるが一画面に表示可能な画素数が等しいケースも無論存在する。
【００２５】
本発明の画像共有表示システムに係る実施形態の一の態様では、前記第２端末は更に、前記第２画面部に表示された少なくとも一部が前記画像の全領域に対して占める第２領域を表す第２表示領域情報を生成する第２表示領域情報生成手段と、前記ネットワークを介して前記生成された第２表示領域情報を前記第１端末に送信する第２通信手段とを備える。
【００２６】
この態様によれば、第２端末に備わる第２表示領域生成情報生成手段によって、第２画面部に表示された共有される画像の少なくとも一部が係る画像の全領域に対して占める領域である第２領域を表す第２表示領域情報が生成される。この第２表示領域情報は、第２通信手段によりネットワークを介して第１端末に送信される。
【００２７】
即ち、この態様によれば、第２端末では共有される画像において第１端末の第１画面部に表示されている部分が、また、第１端末では共有される画像において第２端末の第２画面部に表示されている部分が、夫々認識可能となる。従って、一層円滑なコミュニケーションを行うことが可能となる。
【００２８】
尚、この態様では、第２端末に第２表示領域情報生成手段及び第２通信手段が備わるため、第２端末の構成は第１端末と同等となり得る。即ち、本発明において、第１端末及び第２端末とは、相互に画像を共有可能である限りにおいて、その構成が相互に等しくても、又は異なっていてもよい趣旨である。
【００２９】
第２表示領域情報生成手段を備える本発明の画像共有表示システムに係る実施形態の一の態様では、前記第２表示制御手段は、前記送信された第１表示領域情報に基づいて、前記第２画面部に、前記第１領域に相当する情報を表示させる。
【００３０】
この態様によれば、第２画面部に、前述した第１領域に相当する情報が表示される。ここで、「相当する情報」とは、例えば、係る第１領域を表すために第２画面部に表示された、枠又はそれに準じるものなどを指す。または、係る領域に設けられた、網掛けなどの視覚情報を指す。または、係る第１領域の位置を示すポインタなどの指示画像を指す。更には、係る第１領域に相当する座標情報などの位置情報を指す。或いは、第２画面部において係る第１領域に相当する部分のみ表示色が変更されるなどして「相当する情報」が示されてもよい。即ち、第１領域が、第２画面部において視覚的に認識可能である限りにおいて、係る「相当する情報」の態様は自由に決定されてよい。
【００３１】
この態様によれば、第２端末側において、現在第１端末において、共有される画像のどの部分が表示されているのかが視覚的に認識可能となるから、極めて円滑なコミュニケーションを実現し得る。
【００３２】
また、このような本発明の画像共有表示システムに係る実施形態では、前記第２画面部は、前記第１画面部よりも大きい表示領域を有していてもよい。この場合には、第２端末側で一層簡便に第１端末の表示状態を認識できるので効果的である。
【００３３】
尚、ここで述べられる「表示領域が大きい」とは、単純に画面サイズの如き物理的な表示領域が大きい場合に限らず、一般には解像度などと称される、一画面に表示可能な画素数が大きい場合を含む概念である。従って、一画面に表示可能な画素数が大きく且つ表示画面の物理的な大きさが等しい場合も、逆に表示画面が物理的に大きく且つ一画面に表示可能な画素数が等しい場合も含まれる。また、表示領域が大きいと言っても、縦横共に大きい必要はなく、縦方向にのみ大きくても、横方向にのみ大きくてもよい。
【００３４】
本発明の画像共有表示システムに係る実施形態の他の態様では、前記第１表示制御手段は、前記送信された第２表示領域情報に基づいて、前記第１画面部に、前記第２領域に相当する情報を表示させる。
【００３５】
この態様によれば、先に第２画面部に表示されたのと同様な各種形態で、第１画面部に第２領域に相当する情報が表示される。従って、第１及び第２の端末間で双方向的に互いの画面部に共有される画像のどの部分が表示されているかを認識することが可能となって、一層円滑にコミュニケーションを行うことが可能となる。
【００３６】
第２通信手段を備える本発明の画像共有表示システムに係る実施形態の一の態様では、前記第２端末は更に、前記画像において前記第１画面に表示されるべき領域を指定する領域指定情報を生成する領域指定情報生成手段を更に具備し、前記第２通信手段は、前記領域指定情報を前記第１端末に送信し、前記第１表示制御手段は、前記送信された領域指定情報に基づいて、前記第１画面部に前記指定された領域を表示させる。
【００３７】
この態様によれば、第２端末において生成された領域指定情報が、第２通信手段によって送信される。この送信された領域指定情報に基づいて、第１端末における第１画面部には、共有される画像において、この指定された領域に相当する部分が表示される。
【００３８】
ここで、「領域を指定する」態様は、各種態様を採り得るが、例えば、第２画面部に表示される、「第１領域に相当する情報」を操作することによって係る領域の指定が行われてもよい。この場合、例えば、この相当する情報が、第２画面部において枠のように表示されているならば、この枠を第２画面部において所望する位置まで強制的に動かすことによって領域の指定が行われてもよい。このような枠の強制的な移動は、例えば、キーボード、マウス、タッチパッド、又はスクロールボタンなどの入力手段を介して行われてもよい。或いは、この領域の指定は、単に第１画面部に表示させたい領域を、例えば座標データなどの位置情報を入力することによって行われてもよい。
【００３９】
即ち、この態様によれば、第２端末は、適宜この領域指定情報を生成及び送信することによって、ネットワークを介して第１端末を上位制御することが可能となる。従って、例えば、会議などにおいて進行役に相当する端末が存在し、端末の少なくとも一部に序列が生じているような場合には、より上位の端末が下位の端末を制御することも容易にして可能となり、一層円滑なコミュニケーションを行うことが可能となる。
【００４０】
第２通信手段を備える本発明の画像共有表示システムに係る実施形態の一の態様では、前記第２端末は更に、前記第２領域内において指示された箇所を表す指示箇所情報を生成する指示箇所情報生成手段を具備し、前記第２通信手段は、前記生成された指示箇所情報を前記第１端末に送信し、前記第１表示制御手段は、前記送信された指示箇所情報に基づいて、前記第１画面部に前記指示された箇所に相当する情報を表示させる。
【００４１】
この態様によれば、第２端末側において、前記第２領域内において指示された箇所を表す指示箇所情報が生成され、この生成された指示箇所情報が第１端末に送信される。
【００４２】
ここで、「第２領域内において指示された箇所」とは、例えば、第２端末を操作する操作者により、マウス、キーボード、タッチパッド、スクロールボタン、又は音声認識装置などの各種入力機器を介して指示された、第２画面部に表示されている画像上の箇所を指す。尚、ここで「箇所」とは、例えば、共有される画像における一点を示すものであってもよいし、ある程度の範囲を示すものであってもよい。
【００４３】
第１端末側では、この指示箇所情報に基づいて、第１画面にこの指示された箇所に相当する情報が表示される。ここで、「指示された箇所に相当する情報」とは、例えば、矢印や手の形など各種形状を有するポインタ、又は指示枠などを指す。また、網掛けなどによってこの指示された箇所が表されてもよい。更には、この指示された箇所の表示色が変更されるなどして、この指示箇所が表されてもよい。或いは、文字情報などによって、この指示箇所が認識可能に表示されていてもよい。即ち、第２領域内において指示された箇所を第１画面部において認識することが可能な視覚情報である限りにおいて、この指示された箇所に相当する情報の態様は自由であってよい。
【００４４】
この態様によれば、例えば、第１端末側において、第２端末側で現在議題にしている箇所を認識することが可能となるので、一層円滑なコミュニケーションを行うことが可能となる。
【００４５】
指示箇所情報生成手段を具備する本発明の画像共有表示システムに係る実施形態の一の態様では、前記第１表示制御手段は、前記送信された指示箇所情報に基づいて、予め前記第１画面部において設定された第１の範囲内に前記指示箇所が含まれるように前記画像の少なくとも一部を表示させる。
【００４６】
この態様によれば、第２領域内で指示された箇所が予め第１画面部で設定されている第１の範囲内に含まれるように、第１画面部に画像の少なくとも一部が表示される。ここで、「第１の範囲」とは、例えば、第１画面部において任意に設定された範囲であるが、例えば、第１画面部全域であってもよい。この場合には、即ち第１画面部に指示箇所が表示されさえすればよい。また、第１の範囲の中心に係る指示箇所が表示されるように画像が表示されてもよい。尚、指示箇所がこの第１の範囲内に収まるように画像が表示される限りにおいて、第１画面部における画像表示の態様は自由であってよい。
【００４７】
この態様によれば、第１画面部の表示内容を適切な状態に維持することが可能となるので、例えば、第１端末を操作する操作者が何らかの作業で手が離せないような状態にある時などに大変便利である。
【００４８】
更にこの態様においては、前記第１端末は、前記指示箇所が予め前記第１画面部において設定された第２の範囲外にあるか否かを判別する判別手段を更に具備し、前記第１表示制御手段は、前記判別手段によって、前記指示箇所が前記第２の範囲外にあると判別された場合に、前記指示箇所が前記第１の範囲内に含まれるように前記画像の少なくとも一部を表示させてもよい。
【００４９】
この態様によれば、第２領域内において指示された箇所が、第１画面部で予め設定されている第２の範囲外である場合に、この指示箇所が前述の第１の範囲内に収まるように第１画面部に画像が表示される。ここで「第２の範囲」とは、第１の範囲と同じ範囲として指定されていてもよいし、第１の範囲よりも大きい範囲として指定されていてもよい。
【００５０】
この態様によれば、第１端末で予め設定された第２の範囲内に第２端末において指示された箇所が表示されている場合には、第１画面部の表示が切り替わることがない。従って、指示箇所が十分認識可能に第１画面部に表示されているにも拘らず、頻繁に、実質上あまり意味のない画面のスクロールや切り替えなどが生じることがなく、第１端末側の快適性が向上する。
【００５１】
本発明の画像共有表示システムに係る実施形態の他の態様では、前記画像は、予め前記第１又は第２通信手段を介して前記第１又は第２端末から供給される。
【００５２】
この態様によれば、共有される画像が、第１又は第２端末のいずれかから供給される。この際、例えば、第１通信手段又は第２通信手段により、ネットワークを介して画像が配信される。従って、各端末間でスムーズに画像の共有を行うことが可能となり、快適性が向上する。
【００５３】
尚、この共有されるべき画像が各端末に配信される際には、予め係る画像を表示するに適した画面部の表示領域情報が、例えば画素数（例えば、ＸＧＡ、ＶＧＡなど）などの値として指定されていてもよい。この場合には、各端末間で、画面部に表示される画像や文字の大きさが統一されるので好適である。
＜画像共有機能付端末の実施形態＞
本発明の画像共有機能付端末に係る実施形態は、ネットワークに収容され、画像の少なくとも一部を表示するための第１画面部を有する他の端末との間で前記ネットワークを介して前記画像を相互に共有可能な画像共有機能付端末であって、前記画像を表示するための第２画面部と、前記第２画面部に前記画像の少なくとも一部を表示させる表示制御手段とを具備し、前記表示制御手段は、前記他の端末から送信される、前記第１画面部に表示された少なくとも一部が前記画像の全領域に対して占める第１領域を表す第１表示領域情報に基づいて、前記第２画面部に、前記第１領域に相当する情報を表示させる。
【００５４】
本発明の画像共有機能付端末に係る実施形態によれば、表示制御手段によって、ネットワークに収容される他の端末に備わる第１画面部に表示された、共有される画像の少なくとも一部が係る画像の全領域に対して占める領域である第１領域に相当する情報が第２画面部に表示されるので、常に他の端末において共有される画像のどの部分が表示されているのかを認識又は把握することが可能となり、円滑なコミュニケーションを実現し得る。
【００５５】
本発明の画像共有機能付端末に係る実施形態の一の態様では、前記第２画面部に表示された領域内において指示された箇所を表す指示箇所情報を生成する指示箇所情報生成手段と、前記ネットワークを介して前記生成された指示箇所情報を送信する通信手段とを更に具備し、前記送信された指示箇所情報に基づいて、前記第１画面部に、前記指示箇所を含むように前記画像の少なくとも一部を表示させる。
【００５６】
この態様によれば、指示箇所情報によって、他の端末の第１画面部に、第２画面部において指示された箇所を表示させることが可能となるので、一層円滑なコミュニケ―ションを実現することが可能となる。
＜コンピュータプログラムの第１実施形態＞
本発明のコンピュータプログラムに係る第１実施形態は、コンピュータシステムを、上述した第１端末のいずれかとして機能させることを特徴とする。
【００５７】
本発明のコンピュータプログラムに係る第１実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータシステムに読み込んで実行させれば、或いは、当該コンピュータプログラムを、例えば、通信手段等を介してコンピュータシステムにダウンロードさせた後に実行させれば、上述した本発明の画像共有表示システムに係る実施形態における第１端末を比較的簡単に実現可能である。
【００５８】
尚、上述した本発明の画像共有表示システムに係る実施形態における第１端末の各種態様に対応して、本発明のコンピュータプログラムに係る実施形態も各種態様を採ることが可能である。
＜コンピュータプログラムの第２実施形態＞
本発明のコンピュータプログラムに係る第２実施形態は、コンピュータシステムを、上述した第２端末のいずれかとして機能させることを特徴とする。
【００５９】
本発明のコンピュータプログラムに係る第２実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータシステムに読み込んで実行させれば、或いは、当該コンピュータプログラムを、例えば、通信手段等を介してコンピュータシステムにダウンロードさせた後に実行させれば、上述した本発明の画像共有表示システムに係る実施形態における第２端末を比較的簡単に実現可能である。
【００６０】
尚、上述した本発明の画像共有表示システムに係る実施形態における第２端末の各種態様に対応して、本発明のコンピュータプログラムに係る実施形態も各種態様を採ることが可能である。
【００６１】
以上説明したように、画像共有表示システムに係る実施形態は、第１端末と第２端末とを備えるので、画像を共有可能な複数の端末装置間で円満なコミュニケーションを実現し得る。画像共有機能付端末に係る実施形態は、第２画面部と表示制御手段とを具備するので、画像を共有可能な複数の端末装置間で円滑なコミュニケーションを実現し得る。コンピュータプログラムに係る第１実施形態は、コンピュータシステムを上述した第１端末として機能させるので、上述した本発明の画像共有表示システムに係る実施形態における第１端末を比較的簡単に実現可能である。コンピュータプログラムに係る第２実施形態は、コンピュータシステムを上述した第２端末として機能させるので、上述した本発明の画像共有表示システムに係る実施形態における第１端末を比較的簡単に実現可能である。
【００６２】
本発明のこのような作用及び他の利得は次に説明する実施例から明らかにされる。
【実施例】
【００６３】
以下、図面を参照して本発明の実施例について説明する。
【００６４】
＜実施例の構成＞
始めに、図１を参照して、本発明の実施例に係る画像共有表示システムの構成について説明する。ここに、図１は、画像共有表示システム１０の概念図である。
【００６５】
図１において、画像共有表示システム１０は、端末システム１００、及び端末システム２００がネットワーク２０に収容されてなるシステムである。
【００６６】
端末システム１００は、例えばパーソナルコンピュータなどのコンピュータシステムであり、会社などの施設内でユーザ１００ａに使用されている。端末システム１００は、本発明に係る「第２端末」又は「画像共有機能付端末」の一例として機能する。端末システム２００は、例えば携帯電話などの携帯型通信システムであり、端末１００とは異なる場所に居るユーザ２００aに使用される、本発明に係る「第１端末」の一例である。
【００６７】
ネットワーク２０は、例えば、ユーザ１００ａが居る施設内などに敷設された有線ＬＡＮ網、係る有線ＬＡＮ網を介して繋がるインターネット、及び係るインターネットへの接続を可能とする無線通信ネットワーク網などを含んでなる、本発明における「ネットワーク」の一例である。
【００６８】
画像共有表示システム１０は、ユーザ１００ａ及び２００ａが夫々端末システム１００及び２００を使用してネットワーク２０にアクセスすると共に、相互に画像を共有して会議や打ち合わせなどを行うことが可能に構成されている。
【００６９】
次に、図２を参照して、端末システム１００の構成について説明する。ここに、図２は、端末システム１００のブロック図である。
【００７０】
図２において、端末システム１００は、制御部１１０、表示部１２０、入力部１３０、記憶部１４０及び通信部１５０を備える。
【００７１】
制御部１１０は、ＣＰＵ（Central Processing Unit）１１１、ＲＯＭ（Read Only Memory）１１２、及びＲＡＭ（Random Access Memory）１１３を備える。
【００７２】
ＣＰＵ１１１は、端末システム１００の動作を制御するユニットである。ＲＯＭ１１２は、読み出し専用のメモリであり、ＣＰＵ１１１によって実行可能な本発明に係る「コンピュータプログラム」の一例たる画像共有表示プログラムが格納されている。ＲＡＭ１１３は、書き換え可能なメモリであり、ＣＰＵ１１１が画像共有表示プログラムを実行する過程で生じるデータなどを一時的に保管することが可能に構成されている。尚、ＣＰＵ１１１は、ＲＯＭ１１２に格納された画像共有表示プログラムを実行することにより、本発明に係る「第２表示制御手段」、「第２表示領域情報生成手段」、及び「指示箇所情報生成手段」の夫々一例として機能することが可能に構成されている。
【００７３】
表示部１２０は、表示画面１２０ａを有する、例えば液晶ディスプレイ装置などのディスプレイ装置であり、端末システム１００と端末システム２００との間で共有される画像を表示可能に構成された、本発明に係る「第２画面部」の一例である。尚、表示部１２０は、端末システム１００の態様に応じて、例えば、プラズマディスプレイ装置、ＣＲＴディスプレイ装置、又は有機ＥＬディスプレイ装置などの各種態様を採ることが可能である。また、表示部１２０は、例えばノート型パソコンのように制御部と一体に構成されていてもよく、デスクトップ型パソコンのように制御部とは個別に構成されていてもよい。
【００７４】
入力部１３０は、例えば、キーボード、マウス、タッチパッド、スクロールボタンなどの各種入力デバイスであり、ユーザ１００ａによる操作によって、制御部１１０に様々な指示を与えることが可能に構成されている。
【００７５】
記憶部１４０は、例えば、ＨＤなどの磁気記録媒体、又はＤＶＤ−ＲＡＭやＣＤ−ＲＷなどの光情報記録媒体と、それらに対応する各種ドライブユニットから構成されており、端末システム２００との間で共有される画像に係る画像データなどが記憶されている。
【００７６】
通信部１５０は、ネットワーク２０へのアクセスが可能に構成された、本発明に係る「第２通信手段」の一例である。
【００７７】
次に、図３を参照して、端末システム２００の構成について説明する。ここに、図３は、端末システム２００のブロック図である。
【００７８】
図３において、端末システム２００は、制御部２１０、表示部２２０、入力部２３０、及び通信部２４０を備える。
【００７９】
制御部２１０は、ＣＰＵ２１１、ＲＯＭ２１２、及びＲＡＭ２１３を備える。
【００８０】
ＣＰＵ２１１は、端末システム２００の動作を制御するユニットである。ＲＯＭ２１２は、読み出し専用のメモリであり、ＣＰＵ２１１によって実行可能な、本発明に係る「コンピュータプログラム」の他の一例たる画像共有表示プログラムが格納されている。ＲＡＭ２１３は、書き換え可能なメモリであり、ＣＰＵ２１１が画像共有表示プログラムを実行する過程で生じるデータなどを一時的に保管可能に構成されている。尚、ＣＰＵ２１１は、ＲＯＭ２１２に格納された画像共有表示プログラムを実行することにより、本発明に係る「第１表示制御手段」、「第１表示領域情報生成手段」、及び「判別手段」の夫々一例として機能することが可能に構成されている。
【００８１】
表示部２２０は、表示画面１２０ａよりも表示領域の小さな表示画面２２０ａを有する、例えば液晶ディスプレイ装置などのディスプレイ装置であり、端末システム１００と端末システム２００との間で共有される画像を表示可能に構成された、本発明に係る「第１画面部」の一例である。尚、表示部２２０は、表示部１２０と同様に、端末システム２００の態様に応じて、多種多様な形態を採り得る。
【００８２】
入力部２３０は、例えば、キーボードやスクロールボタンなどの各種入力デバイスであり、ユーザ２００ａによる操作によって、制御部２１０に様々な指示を与えることが可能に構成されている。
【００８３】
通信部２４０は、ネットワーク２０へのアクセスが可能に構成された、本発明に係る「第１通信手段」の一例である。
【００８４】
尚、端末システム２００は、端末システム１００と同様に記憶部を備えていてもよい。このように記憶部を備える場合には、端末システム１００との間で共有される画像に係る画像データなどが記憶されていてもよい。
＜実施例の動作＞
続いて、上記構成を有する画像共有表示システム１０の動作について、端末システム１００及び端末システム２００双方において夫々の制御部が実行する各種処理毎に説明する。尚、係る処理は、制御部１１０及び２１０におけるＣＰＵ１１１及び２１１が、夫々ＲＯＭ１１２及び２１２に格納される画像共有表示プログラムを実行することによって実現されるものである。
＜１．画像共有処理＞
始めに、図４を参照して、端末システム間で相互に画像を共有するための処理について説明する。ここに、図４は、画像共有処理のフローチャートである。
【００８５】
図４において、端末システム１００において、共有されるべき画像（以降、適宜「共有画像」と称することとする）が選択される（ステップＳ１０）。ここで、共有画像とは、例えば、ユーザ１００ａとユーザ２００ａとの間で行われる打合せなどの資料画像である。ＣＰＵ１１１は、記憶部１４０から共有画像に係る画像データ（以降、適宜「共有画像データ」と称する）を選択し、一時的にＲＡＭ１１３に格納する。
【００８６】
次に、ＣＰＵ１１１は、ＲＡＭ１１３に格納される共有画像データを、通信部１５０を介して端末システム２００に送信する（ステップＳ１１）。尚、送信先である端末システム２００における処理については後述する。
【００８７】
端末システム２００へ共有画像データの送信が終了すると、ＣＰＵ１１１は、共有画像データに基づいて、共有画像をＲＡＭ１１３上に展開する（ステップＳ１２）。ＣＰＵ１１１は更に、ＲＡＭ１１３上に展開される共有画像のうち、表示画面１２０ａに表示する部分を選択し、係る選択部分の表示用画像データを生成する（ステップＳ１３）。ＣＰＵ１１１は、この表示用画像データに基づいて表示画面１２０ａに共有画像の一部を表示させ（ステップＳ１４）、端末システム１００側における処理が終了する。
【００８８】
ここで、図５を参照して、端末システム１００における共有画像の表示形態について説明する。ここに、図５は、共有画像の模式図である。
【００８９】
図５において、ＲＡＭ１１３上に展開される画像は、便宜的に、座標平面上で座標（０，０）から座標（Ｘ，Ｙ）として規定される大きさを有する画像であるとする。このうち、表示画面１２０ａの表示領域は、この座標平面上で座標（ＸＡ１，ＹＡ１）から座標（ＸＡ２，ＹＡ２）（但し、ＸＡ２＜Ｘ、且つＹＡ２＜Ｙ）に相当する大きさを有しており、ＣＰＵ１１１は、図中点線で囲まれた部分について表示用画像データを演算、生成する。その結果、図５下部に示されるような、「Ａ」から「Ｗ」までを含んだ画像が表示画面１２０ａに表示される。尚、端末システム１００においては、ユーザ１００ａが、入力部１３０を使用して、共有画像において表示画面１２０ａに表示される部分を自由に変更することが可能である。例えば、このような変更は、マウスなどの入力デバイスを使用してこの領域をスクロールさせるなどして容易に実行することが可能である。
【００９０】
図４に戻り、端末システム２００側の処理について説明する。
【００９１】
共有画像データの送信先である端末システム２００においては、通信部２４０により共有画像データが受信される（ステップＳ１５）。ＣＰＵ２１１は、この受信された共有画像データを、ＲＡＭ２１３上に展開する（ステップＳ１６）。ＣＰＵ２１１は更に、ＲＡＭ２１３上に展開される共有画像のうち、表示画面２２０ａに表示する部分を選択し、係る選択部分の表示用画像データを生成する（ステップＳ１７）。ＣＰＵ２１１は、この表示用画像データに基づいて表示画面２２０ａに共有画像の一部を表示させ（ステップＳ１８）、端末システム２００側における処理が終了する。
【００９２】
ここで、図６を参照して、端末システム２００における共有画像の表示形態について説明する。ここに、図６は、共有画像の模式図である。
【００９３】
図６において、ＲＡＭ２１３上に展開される画像は、便宜的に、座標平面上で座標（０，０）から座標（Ｘ，Ｙ）として規定される大きさを有する。このうち、表示画面２２０ａの表示領域は、この座標平面上で座標（ＸＢ１，ＹＢ１）から（ＸＢ２，ＹＢ２）（但し、ＸＢ２＜Ｘ、且つＹＢ２＜Ｙとする）に相当する大きさを有しており、ＣＰＵ２１１は、図中点線で囲まれた部分について表示用画像データを演算、生成する。その結果、図６下部に示されるような、「Ｊ」を中心とした画像が表示画面２２０ａに表示される。尚、端末システム２００においては、入力部２３０を使用して、共有画像において表示画面２２０ａに表示される領域を変更することが可能である。例えば、このような変更は、スクロールボタンなどの入力デバイスを使用してこの領域をスクロールさせるなどして容易に実行可能である。
【００９４】
画像共有表示システム１０においては、このように画像共有処理によって、先ず端末システム１００と端末システム２００との間で画像が共有される。尚、共有画像データは、端末システム２００から端末システム１００に対して送信されてもよい。
【００９５】
例えば、端末システム２００から端末システム１００に共有画像データが送信される場合、端末システム２００が記憶部を備えるならば、係る記憶部から読み出された共有画像データが端末システム１００に送信されてもよい。更に、端末システム１００及び端末システム２００の間で共有される画像は、必ずしも記憶部１４０（端末システム２００が記憶部を備える場合にはその記憶部も含む）に記憶された画像データに基づいた画像でなくともよい。例えば、外部からＲＡＭに取り込まれた画像データに基づいて画像が共有されてもよいし、共有画像データが予めＲＯＭに記憶されていてもよい。例えば、端末システム２００がカメラ機能付き携帯電話である場合には、そのようなカメラからＲＡＭに記憶された画像データに基づいて画像が共有されてもよい。
＜２．表示領域表示処理＞
続いて、図７を参照して、端末システム１００において端末システム２００の表示領域を表示させるための表示領域表示処理について説明する。ここに、図７は、表示領域表示処理のフローチャートである。
【００９６】
図７において、始めに、端末システム２００のＣＰＵ２１１が、本発明に係る「第１表示領域情報」の一例たる表示領域情報を生成する（ステップＳ２０）。例えば、この表示領域情報とは、共有画像において現在端末システム２００の表示画面２２０ａに表示されている領域（即ち、本発明における「第１画面部に表示された少なくとも一部が画像の全領域に対して占める第１領域」の一例）に関する情報であり、例えば、共有画像におけるこの領域の位置を示す座標データである。
【００９７】
次に、ＣＰＵ２１１は、この表示領域情報を通信部２４０によって端末システム１００に送信する（ステップ）Ｓ２１。尚、送信先である端末システム１００側の動作については後述する。
【００９８】
表示領域情報を送信すると、ＣＰＵ２１１は、共有画像において表示画面２２０ａに表示される部分が、例えばユーザ２００ａの操作などによって変更されたか否かを判別する（ステップＳ２２）。このような変更がなされない場合（ステップＳ２２：ＮＯ）、ＣＰＵ２１１は、一定のクロック毎にこのような判別を繰り返すと共に、表示部分が変更された場合（ステップＳ２２：ＹＥＳ）、ＣＰＵ２１１は処理を再びステップＳ２０に戻し、係る変更に対応した表示領域情報を新たに生成して端末システム１００に対して送信する。
【００９９】
一方、表示領域情報の送信先である端末システム１００においては、通信部１５０が表示領域情報を受信する（ステップＳ２３）。表示領域情報が受信されると、ＣＰＵ１１１は、ＲＡＭ１１３上に展開されている画像上に、表示領域情報に含まれる座標データなどに基づいて、共有画像において現在端末システム２００に表示されている領域を描画する（ステップＳ２４）。
【０１００】
ＲＡＭ１１３上における端末システム２００の表示領域の描画が終了すると、ＣＰＵ１１１は、改めて表示部１２０に表示させるための表示用画像データを生成し（ステップＳ２５）、表示部１２０に表示させ（ステップＳ２６）、表示領域表示処理が終了する。
【０１０１】
ここで、図８を参照して、この表示領域表示処理の実行結果について説明する。ここに、図８は、端末システム１００における表示画面１２０ａの模式図である。
【０１０２】
図８において、表示画面１２０ａに表示される画像には、共有画像において現在表示画面２２０ａに表示されている領域を示す枠状ポインタ１２１が表示されている。この枠状ポインタ１２１は、本発明に係る「第１領域に相当する情報」の一例である。尚、このような、共有画像において現在表示画面２２０ａに表示されている領域を表す情報は、係る枠状ポインタ１２１に限定されない。例えば、網掛けや、係る領域の四隅をポインタなどで指示する態様を有していてもよい。
＜３．指示箇所表示処理＞
続いて、図９及び図１０を適宜参照して、端末システム２００において端末システム１００の指示箇所を表示させるための指示箇所表示処理について説明する。ここに、図９は、指示箇所表示処理のフローチャートであり、図１０は、指示箇所表示処理に係る各表示画面の模式図である。
【０１０３】
図９において、始めに、端末システム１００のＣＰＵ１１１は、表示画面１２０ａにおける指示箇所を示す指示箇所情報を生成する（ステップＳ３０）。ここで、指示箇所とは、例えば、ユーザ１００ａが、入力部１３０を使用して指示した表示画面１２０ａに表示される画像上の箇所である。本実施例において、この指示箇所は表示画面１２０ａ上に表示されているものとする。従って、この指示箇所情報とは、係る指示箇所の座標データを含むものである。生成された指示箇所情報は、通信部１５０から端末システム２００に対し送信される（ステップＳ３１）。
【０１０４】
指示箇所情報を送信すると、ＣＰＵ１１１は、一定のクロックタイミングに従って、指示箇所の変更が有るか否かを判別する（ステップＳ３２）。指示箇所の変更がない場合（ステップＳ３２：ＮＯ）、ＣＰＵ１１１は、ステップＳ３２に係る処理を繰り返すと共に、指示箇所の変更が有った場合（ステップＳ３２：ＹＥＳ）、ＣＰＵ１１１は、処理を再びステップＳ３０に戻し、新たに指示箇所情報を生成して端末システム２００に送信する。
【０１０５】
図１０（ａ）において、指示箇所は、表示画面１２０ａにおいて、ポインタ１２２として表示されている。また、このポインタ１２２は、共有画像において現在端末システム２００の表示画面２２０ａに表示されている領域内、即ち表示画面１２０ａにおける枠状ポインタ１２１内にあり、「Ｊ」の左上付近に位置している。指示箇所情報には、この「Ｊ」の左上付近に相当する座標情報が含まれている。
【０１０６】
図９に戻り、端末システム２００においては、指示箇所情報が通信部２４０により受信される（ステップＳ３３）。ＣＰＵ２１１は、受信された指示箇所情報に基づいて、指示箇所が、端末システム２００においてユーザ２００ａにより予め設定された指定範囲外にあるか否かを判別する（ステップＳ３４）。
【０１０７】
ここで、指定範囲とは、図１０（ｂ）に示すように、表示部２２０上の任意範囲として定められた指定範囲２２１である。この指定範囲２２１は、本発明に係る「第２の範囲」の一例であり、例えば、「表示画面２２０ａの中心を中心とした表示面積の５０％の範囲」などとして設定されている。
【０１０８】
この指定範囲２２１内に指示箇所が存在する場合（ステップＳ３４：ＮＯ）、ＣＰＵ２１１は、共有画像において表示画面２２０ａに表示される領域自体は変更せずに、指示箇所情報によって示される座標点にポインタ１２２に相当するポインタ２２２が表示されるような表示用画像データを生成し（ステップＳ３６）、表示画面２２０ａに表示させる（ステップＳ３７）。
【０１０９】
一方、この指定範囲２２１外に指示箇所がある場合（ステップＳ３４：ＹＥＳ）、ＣＰＵ２１１は、この指示箇所が係る指定範囲２２１内に含まれるように表示用画像データを生成する（ステップＳ３５）。この際、指示箇所に相当する位置にポインタ２２２が併せて表示されるような表示用データが生成され、表示画面２２０ａに表示される（ステップＳ３７）。ステップＳ３７によって、指示箇所が含まれるような画像が表示されると、指示箇所表示処理が終了する。
【０１１０】
例えば、図１０（ａ）において、ポインタ１２２が右側へ向って動かされ、「Ｍ」の左上付近に表示されたとする。この場合、図１０（ｂ）の指定範囲２２１内にはこの指示箇所が存在しないため、表示画面２２０ａには、新たに図１０（ｃ）のような画像が表示される。尚、端末システム２００において新たに生成される表示用データは、ポインタ２２２が表示画面２２０ａの中心に表示されるように生成されたデータであってもよいし、係る指定範囲２２１とは異なる指定範囲（即ち、本発明に係る「第１の範囲」）内に表示されるように生成されたデータであってもよい。
【０１１１】
以上説明したように、画像共有表示システム１０においては、端末システム１００が、端末システム２００で現在共有画像上のどの部分が表示されているのかを認識することが可能に構成されている。従って、ユーザ１００ａが絶えず、ユーザ２００ａに対して適切な配慮を行うことが可能であり、円滑なコミュニケーションが実現されるのである。
【０１１２】
また、画像共有表示システム１０においては、端末システム１００の表示画面１２０ａにおいて指示された箇所に追随するように、端末システム２００における表示画面２２０ａの表示内容が自動的に変化する。従って、端末システム２００を操作するユーザ２００ａの操作上の負担を著しく軽減することが可能となっており、更に円滑なコミュニケーションが可能となっている。
【０１１３】
尚、このように、端末システム１００において行われる操作に追随するのが好ましくない場合もある。そのような場合に備え、例えば、端末システム２００側で、このような追随の可否が設定可能になっていてもよい。
【０１１４】
また、上記指示箇所表示処理においては、端末システム１００を操作するユーザ１００ａは、特に端末システム２００側の表示内容を強制的に制御している意識のないまま表示画面１２０ａ上の任意の箇所を指示することが可能である。しかしながら、より明確な意思をもって端末システム２００の表示内容を制御することも可能である。この場合、例えば、表示画面１２０ａに表示される枠状ポインタ１２１を、ユーザ１００ａが任意に動かすことが可能に構成されていればよい。この枠状ポインタ１２１の移動量が、例えば座標データに変換され、本発明に係る「領域指定情報」の一例として、端末システム２００に送信されてもよい。即ち、この場合には、ＣＰＵ１１１が、本発明に係る「領域指定情報生成手段」の一例として機能する。この際、端末システム２００側では、この領域指定情報に基づいて、ＣＰＵ２１１が表示画面２２０ａの表示内容を変更する。
【０１１５】
＜変形例＞
尚、実施例においては、端末システム１００側においてのみ、相手側の表示領域が表示部に表示されているが、無論、双方の端末システムにおいて、相互に相手側の表示領域が表示されてもよい。ここで、図１１を参照して、このような本発明の変形例について説明する。ここに、図１１は、端末システム２００における表示画面２２０ａの一態様を示す模式図である。
【０１１６】
図１１（ａ）において、表示画面２２０ａには、共有画像において、現在表示画面１２０ａに表示されている領域（即ち、本発明における「第２画面部に表示された少なくとも一部が画像の全領域に対して占める第２領域」の一例）が網掛け部２２３（即ち、本発明における「第２領域に相当する情報」の一例）として表示されている。この網掛け部２２３により、ユーザ２００ａは、現在表示画面２２０ａに表示されている画像が、端末システム１００（即ち、ユーザ１００ａ）において認識されていることを認識することが可能となる。例えば、図１１（ａ）のように、網掛け部２２３が表示画面２２０ａの全域にわたって形成されていれば、表示画面２２０ａに表示されている画像は、表示画面１１０ａの表示されている画像に全て含まれていることとなる。一方、図１１（ｂ）のように、網掛け部２２３が、表示画面２２０ａの一部であるような場合、ユーザ２００ａは、網掛け部２２３の及ばない範囲を、視覚的に、表示画面１１０ａには表示されていない部分であると認識することが可能となる。従って、一層円滑なコミュニケーションを図ることが可能となる。
【０１１７】
本発明は、上述した実施例に限られるものではなく、請求の範囲及び明細書全体から読み取れる発明の要旨或いは思想に反しない範囲で適宜変更可能であり、そのような変更を伴う画像共有表示システム、画像共有機能付端末、及びコンピュータプログラムもまた本発明の技術的範囲に含まれるものである。
【図面の簡単な説明】
【０１１８】
【図１】本発明の実施例に係る画像共有表示システムの概念図である。
【図２】図１の画像共有表示システムにおける一の端末システムのブロック図である。
【図３】図１の画像共有表示システムにおける他の端末システムのブロック図である。
【図４】図１の画像共有表示システムの動作例に係る画像共有処理のフローチャートである。
【図５】図４の画像共有処理に係る共有画像の模式図である。
【図６】図４の画像共有処理に係る共有画像の他の模式図である。
【図７】図１の画像共有表示システムの動作例に係る表示領域表示処理のフローチャートである。
【図８】図７の表示領域表示処理に係る表示画面の模式図である。
【図９】図１の画像共有表示システムの動作例に係る指示箇所表示処理のフローチャートである。
【図１０】図９の指示箇所表示処理に係る表示画面の模式図である。
【図１１】本発明の変形例に係る表示部の模式図である。
【符号の説明】
【０１１９】
１０…画像共有表示システム、２０…ネットワーク、１００…端末システム、１００a…ユーザ、１１０…制御部、１１１…ＣＰＵ、１１２…ＲＯＭ、１１３…ＲＡＭ、１２０…表示部、１２０ａ…表示画面、１２１…枠状ポインタ、１２２…ポインタ、１３０…入力部、１４０…記憶部、１５０…通信部、２００…端末システム、２００ａ…ユーザ、２１０…制御部、２１１…ＣＰＵ、２１２…ＲＯＭ、２１３…ＲＡＭ、２２０…表示部、２２０ａ…表示画面、２２１…指定範囲、２２２…ポインタ、２２３…網掛け部、２２１…２３０…入力部、２４０…通信部。
【図１】
2006039919.tif 000003
【図２】
2006039919.tif 000004
【図３】
2006039919.tif 000005
【図４】
2006039919.tif 000006
【図５】
2006039919.tif 000007
【図６】
2006039919.tif 000008
【図７】
2006039919.tif 000009
【図８】
2006039919.tif 000010
【図９】
2006039919.tif 000011
【図１０】
2006039919.tif 000012
【図１１】
2006039919.tif 000013